(57)【要約】【課題】カード型ドライブ装置を製造する際のコストの削減および製造効率の向上を図る。【解決手段】カード型ドライブ装置１のカバー部材３０に収容部２５に収容されたディスクカートリッジ１をドライブ本体２０側に付勢する突出片３２が設けられており、この突出片３２が、カバー部材３０の一部に切込みを入れて収容部２５側に折り曲げることにより形成されている。【選択図】          図４
2004348797.tif 000002
【特許請求の範囲】
【請求項１】
ディスクカートリッジに収容された情報記録媒体に情報を記録再生するためのカード型のドライブ本体と、該ドライブ本体に取り付けられた扁平なカバー部材とを備え、前記ドライブ本体とカバー部材との間に前記ディスクカートリッジを収容する収容部が形成されているカード型ドライブ装置において、
前記カバー部材が、前記収容部に収容された前記ディスクカートリッジを前記ドライブ本体側に付勢する、該カバー部材の一部に切込みを入れて前記収容部側に折り曲げることにより形成された突出片を有するものであることを特徴とするカード型ドライブ装置。
【請求項２】
前記カバー部材の外面に前記突出片上を覆う被覆部材が設けられていることを特徴とする請求項１に記載のカード型ドライブ装置。
【請求項３】
前記カバー部材の前記収容部上の位置に、光透過性の材料からなる窓部が設けられていることを特徴とする請求項１または２に記載のカード型ドライブ装置。
【発明の詳細な説明】
【０００１】
【発明の属する技術分野】
本発明は磁気カートリッジを装填する磁気記録再生装置のドライブ装置、特にカード型ドライブ装置に関するものである。
【０００２】
【従来の技術】
従来、デジタルカメラ等のモバイル機器においては、記録媒体としてたとえば「ｃｌｉｋ！（登録商標）」や「Ｐｏｃｋｅｔ  Ｚｉｐ（登録商標）」と呼ばれる超小型の磁気ディスクカートリッジが使用されている。このディスクカートリッジは、たとえば幅５０ｍｍ、奥行き５５ｍｍ、厚さ１．９５ｍｍの扁平な金属薄板からなる上下シェルを備えたハウジング内に、４０ＭＢの記憶容量を有する直径約１．８インチ（４６．５ｍｍ）の磁気ディスクからなるセンターコアに固定された情報記録媒体を回転自在に収容したものである。
【０００３】
上述したディスクカートリッジに情報を記録再生するドライブ装置として、パーソナルコンピュータのＰＣＭＣＩＡタイプ２規格に準拠したカードスロットに装填可能なカード型ドライブ装置が用いられる（たとえば特許公報１参照。）。図５は従来のカード型ドライブ装置１の一例を示す斜視図である。図５のカード型ドライブ装置１０は、ディスクカートリッジ１に収容された情報記録媒体５に情報を記録再生するためのカード型のドライブ本体２と、ドライブ本体２に取り付けられた扁平なカバー部材３とを有している。また、ドライブ本体２とカバー部材３との間にはディスクカートリッジ１を収容するための収容部２ａが設けられている。そして、ディスクカートリッジ１がドライブ本体２の前方に設けられた挿入口１ａから挿入され収容部２ａに収容された状態において、ドライブ本体２が情報の記録再生を行う。
【０００４】
このとき、ドライブ本体２がディスクカートリッジ１の情報記録媒体５に確実に情報を記録再生し、かつディスクカートリッジを挿入口１ａから取り出す際にディスクカートリッジ１が挿入口１ａにおいて引っかからないようにするために、カード型ドライブ装置１０は収容部２ａに収容されたディスクカートリッジ１をドライブ本体２側に付勢するような構造を有している。
【０００５】
具体的には、図６は従来のカバー部材３の内面側の構造を示す模式図である。図６のカバー部材３の内側には補強板４が取り付けられており、この補強板４に収容部２ａ内に突出する突出片４ａが一体的に形成されている。そして、突出片４ａの先端がディスクカートリッジ１のハウジングに対してドライブ本体２側に弾性力を常に加えるようになっている。
【０００６】
【先行技術文献１】
国際公開第ＷＯ９９／６６５０８号パンフレット
【０００７】
【発明が解決しようとする課題】
しかし、上述したように、突出片４ａとカバー部材３とが別部材から構成されているため、カード型ドライブ装置１０の部品点数が多くなりコストが掛かってしまうとともに、補強板４をカバー部材３に取り付ける必要があるため製造に手間が掛かってしまうという問題がある。
【０００８】
そこで、本発明は、コストの削減および製造効率の向上を図ることができるカード型ドライブ装置を提供することを目的とするものである。
【０００９】
【課題を解決するための手段】
本発明のカード型ドライブ装置は、ディスクカートリッジに収容された情報記録媒体に情報を記録再生するためのカード型のドライブ本体と、ドライブ本体に取り付けられた扁平なカバー部材とを備え、ドライブ本体とカバー部材との間にディスクカートリッジを収容する収容部が形成されているカード型ドライブ装置において、カバー部材が、収容部に収容されたディスクカートリッジをドライブ本体側に付勢する、カバー部材の一部に切込みを入れて収容部側に折り曲げることにより形成された突出片を有するものであることを特徴とするものである。
【００１０】
なお、カバー部材の外面に突出片上を覆う被覆部材が設けられていてもよい。
【００１１】
また、カバー部材の収容部上の位置に、光透過性の材料からなる窓部が設けられていてもよい。
【００１２】
【発明の効果】
本発明のカード型ドライブ装置によれば、突出片がカバー部材に対して一体的に成形されていることにより、従来のように別部材からなる突出片を設ける場合に比べて軽量化を図ることができるとともに、コストの削減を図ることができる。
【００１３】
なお、カバー部材の突出片上の外面に被覆部材が設けられた構成にすれば、突出片を設けることによりカバー部材に形成された穴を被覆部材により塞ぐことができるため、埃等がカード型ドライブ装置内に入るのを防止することができる。
【００１４】
さらに、カバー部材の収容部上の位置に、光透過性の材料からなる窓部が設けられるようにすれば、カード型ドライブ装置に装填されたディスクカートリッジをカード型ドライブ装置の外側から目視することができるため、カード型ドライブ装置の利便性を向上させることができる。
【００１５】
【発明の実施の形態】
以下、本発明のカード型ドライブ装置の実施の形態について図面を参照しながら詳細に説明する。図１は本発明のカード型ドライブ装置の好ましい実施の形態を示す斜視図である。図１において、カード型ドライブ装置１０は、パーソナルコンピュータ等のカードスロットに挿入されて使用されるものであり、たとえばＰＣＭＣＩＡタイプ２の規格に適合した幅５３ｍｍ、奥行き８５ｍｍ、厚さ５ｍｍの寸法を有する。このカード型ドライブ装置１０の前方にはディスクカートリッジ１を挿入するための挿入口１０ａが設けられており、後方にはパーソナルコンピュータに接続するためのコネクタ１０ｂが設けられている。
【００１６】
図２は図１のカード型ドライブ装置１０の分解斜視図を示している。図２において、カード型ドライブ装置１０は、ディスクカートリッジ１に収容された情報記録媒体に情報を記録再生するためのカード型のドライブ本体２０と、ドライブ本体２０に取り付けられた、たとえば金属製からなる扁平なカバー部材３０とを備えている。このドライブ本体２０は、ディスクカートリッジ１に収容された情報記録媒体を回転させるためのディスク駆動モータ２１と、ディスク駆動モータ２１により回転している情報記録媒体の表面に摺動して情報の記録再生を行う記録再生ヘッド２２と、記録再生ヘッド２２を情報記録媒体上において揺動させるためのサスペンションアーム２３が設けられている。
【００１７】
ドライブ本体２０とカバー部材３０との間には、ディスクカートリッジ１を収容するための収容部２５が形成されている。具体的には、ドライブ本体２０は、ディスク駆動モータ２１や記録再生ヘッド２２等を取り付けた取付板に対して略垂直な方向に突出した側枠２０ａが設けられており、この側枠２０ａにカバー部材３０の外周側が取り付けられている。そして、ドライブ本体２０とカバー部材３０との間に形成された空間がディスクカートリッジ１の収容部２５として機能することになる。
【００１８】
図３はカバー部材の内面（収容部２５側の面）を示す平面図、図４はカバー部材の突出片３２の周辺部位を示す断面図である。図３において、カバー部材３０には収容部２５側に突出した突出片３２を有している。この突出片３２は、カバー部材３０の収容部２５上の一部に切込みを入れた後、収容部２５側に折り曲げることにより形成されている。したがって、図４に示すように、突出片３２は、収容部２５に収容されたディスクカートリッジ１をドライブ本体２０側に付勢する板バネとして機能するようになっている。
【００１９】
このように、突出片３２をカバー部材３０に一体的に成形することにより、従来のように、突出片３２を別部材に成形してカバー部材３０に取り付けることが不要になるため、コストの削減および加工性の向上を図ることができるとともに、カード型ドライブ装置１０の軽量化を図ることができる。
【００２０】
また、図４のカバー部材３０の外面３１にはたとえばロゴシール等からなる被覆部材４０が突出片３２上を覆うように取り付けられている。これにより、カバー部材３０の形成部位に設けられた穴を被覆部材４０により塞ぐことができるため、穴から埃等が収容部２５内に入り込むのを防止することができる。
【００２１】
さらに、カバー部材３０の収容部２５上の領域には、たとえばプラスチックやガラス等の光透過性の材料からなる窓部３３が設けられている。この窓部３３は、たとえば金属製からなるカバー部材３０の窓部３３の形成部位に穴を開けて、その穴にガラスやプラスチック等からなる窓部３３を取り付けてもよいし、上記形成した穴上の部位が透明になっている被覆部材４０を貼り付けるようにして窓部３３を構成するようにしてもよい。これにより、ユーザはカバー部材３０の外面３１を見ればディスクカートリッジ１が装填されているか否かを確認することができるのみならず、ディスクカートリッジ１のハウジングに貼られているシールを目視することができるため、ディスクカートリッジ１のタイプ（容量等）や、ユーザが使用する上でシールに記入したタイトルを見ることができるため、使い勝手の向上を図ることができる。
【００２２】
上記実施の形態によれば、突出片３２がカバー部材３０に対して一体的に成形されていることにより、従来のように別部材からなる突出片４ａ（図６参照）を設ける場合に比べて軽量化を図ることができるとともに、コストの削減を図ることができる。
【００２３】
また、カバー部材３０の突出片３２上の外面に被覆部材４０が設けられた構成にすれば、突出片３２を設けることによりカバー部材３０に形成された穴を被覆部材により塞ぐことができるため、埃等がカード型ドライブ装置１０内に入るのを防止することができる。
【００２４】
さらに、カバー部材３０の収容部２５上の位置に、光透過性の材料からなる窓部３３が設けられるようにすれば、カード型ドライブ装置１０に装填されたディスクカートリッジ１をカード型ドライブ装置１０の外側から目視することができるため、カード型ドライブ装置１０の利便性を向上させることができる。
【図面の簡単な説明】
【図１】本発明のカード型ドライブ装置の好ましい実施の形態を示す斜視図
【図２】本発明のカード型ドライブ装置の好ましい実施の形態を示す分解斜視図
【図３】本発明のカード型ドライブ装置におけるカバー部材の内面を示す平面図
【図４】本発明のカード型ドライブ装置におけるカバー部材の突出片を示す断面図
【図５】従来のカード型ドライブ装置の一例を示す斜視図
【図６】従来のカード型ドライブ装置におけるカバー部材の内面を示す平面図
【符号の説明】
１      ディスクカートリッジ
１０    カード型ドライブ装置
２０    ドライブ本体
２１    ディスク駆動モータ
２５    収容部
３０    カバー部材
３２    突出片
３３    窓部
４０    被覆部材
【図１】
2004348797.tif 000003
【図２】
2004348797.tif 000004
【図３】
2004348797.tif 000005
【図４】
2004348797.tif 000006
【図５】
2004348797.tif 000007
【図６】
2004348797.tif 000008